(57)【特許請求の範囲】
【請求項１】
板体表面に複数の左右方向長さが５０ｍｍ以上のタイルを上下方向に複数段に且つ上下に隣接する各段でタイルの左右方向位置が左右にずれた位置となるように配置して成り、パネル左右端で少なくとも複数段のタイルが半端サイズとなる形態の四方决り構造のタイルパネルを、左右方向に等ピッチＰで配設した柱等縦方向に延在する下地材表面に固定してタイルパネルの張付施工を行うタイルパネルの張付工法であって、
該タイルパネルとして、パネルの左右方向長Ｌが該ピッチＰの整数倍の大きさで且つ前記タイルの左右方向長が該ピッチＰの整数分の１の大きさの正規サイズの正規パネルと、パネルの左右方向長が該正規パネルの左右方向長Ｌよりも小で該Ｌの半分よりもαだけ長く且つ該αの大きさがタイル１枚分の大きさとされた、該正規パネルの略半分長の調整パネルとを用意し、該正規パネルの張付可能な箇所においては該正規パネルの左右方向端位置を前記下地材位置に合わせて該左右各端を該下地材に固定する一方、開口の存在によって該正規パネルの張付不能な箇所においては該正規パネル又は該調整パネルを該開口の形状に合わせて一部切断した上で、左右方向端位置を前記下地材位置に合せて各左右各端を該下地材に固定し、タイル面を構築していくことを特徴とするタイルパネルの張付工法。
【発明の詳細な説明】
【０００１】
【発明の属する技術分野】
この発明はタイルパネルの張付工法に関し、詳しくはタイルパネルの切断ロスを少なくするための技術手段に関する。
【０００２】
【従来の技術及び発明が解決しようとする課題】
タイル壁面を形成する手段として、従来、例えば個々の陶磁器タイルを下地材表面に湿式或いは乾式で張付固定していく工法と、複数のタイルを予め板体表面に貼着してパネル化しておき、そのタイルパネルを柱等縦方向に延在する躯体側の下地材表面に固定していく工法とが行われている。
【０００３】
後者の工法、つまりタイルパネルを下地材表面に固定していく工法として、板体表面にタイルを通し張りし、詳しくは図４（Ａ）に示しているように板体表面にタイル２００を複数段に且つ各タイル２００を縦及び横に整列した状態に貼着し、そのタイルパネル自体を張付面に馬張りする工法と、同図（Ｂ）に示しているようにタイル２００を板体表面に馬張り、即ちタイル２００を上下に複数段に配置するとともに上下に隣接する各段でタイル２００の左右方向位置がずれた状態となるように各タイル２００を板体表面に貼着し、そしてかかるタイルパネル自体を張付面に通し張りする工法とが考えられる。
【０００４】
図５は後者の馬張式のタイルパネルを用いた工法を図示したもので、各段でタイル２００が左右方向に互い違いとなるように各タイル２００を配置して成るタイルパネル２０２を、各パネルの左右端が上下に揃うように下地材としての柱２０４表面に固定し、以ってタイル壁面を構築するようにしている。
【０００５】
ところで図５(Ｂ)(II)に示しているように躯体側の壁に窓や出入口のための開口２０６があるときには、タイルパネル２０２を一部切断して用いることとなる。
ここで開口２０６は、図６に示しているように柱２０４に横枠材やサッシ２０８を取り付ける関係上、通常はその左右方向端が丁度柱２０４の位置に来るように、その位置や大きさが定められる。
【０００６】
図７はその開口２０６の位置や大きさのパターンを、タイルパネルの切断パターンと併せて示したものである。
同図中（エ）は、柱２０４と柱２０４との間のピッチＰと同じ左右方向長の開口２０６エを形成した例を、（ウ）はピッチＰの２倍の左右方向長の開口２０６ウを形成した例を示しており、また（イ）はピッチＰの３倍の左右方向長の開口２０６イを形成した例を、更に（ア）はピッチＰの４倍の左右方向長の開口２０６アを形成した例をそれぞれ示している。
【０００７】
ここでタイルパネル２０２の左右方向長Ｌを、例えば柱２０４間のピッチＰの４倍の大きさとしておいた場合、（エ）の例では開口２０６エの大きさ分だけこれを切除してタイルパネルを用いることとなり、また（ウ）の例では開口２０６ウの大きさ分だけこれを切除し、更に（イ）の例では開口２０６イの大きさ分だけこれを切除し、更に（ア）の例では開口２０６アの大きさ分これを切除して用いることとなる。
【０００８】
しかしながらこのようにするとタイルパネル２０２に多大な切断ロスが生じ、ひいてはタイルパネル２０２に要するコストが非常に高いものとなってしまう。
そこで左右方向長ＬがピッチＰの４倍である正規サイズの正規パネル２０２Ｎの他に、（ウ）に示す略半分の左右方向長のパネルを調整パネル２０２Ｈとして用意しておき、そして（エ）の施工例では正規パネル２０２Ｎの一部を切除することによって対応し、また（ウ），（イ），（ア）の施工例では、調整パネル２０２Ｈを切除することによって対応するといったことが考えられる。
このようにすれば、タイルパネル２０２における切断ロスを効果的に少なくすることができ、タイルパネルに要するコストを低減することが可能となる。
【０００９】
ところでこのような調整パネルを、正規パネル２０２Ｎの丁度半分の長さの調整パネル２０２Ｈ´（図６参照）としたとき（ピッチＰは柱２０４の芯−芯間のピッチである）、図６に示しているように調整パネル２０２Ｈ´の左右方向端と開口２０６の左右方向端との間に若干の隙間βが生じることとなる（柱２０４のサイズは一般に１００ｍｍ角であり、従ってβは通常約５０ｍｍ程度である）。
従って上記調整パネル２０２Ｈの左右方向長は、少なくとも（Ｌ／２）＋βとしておくことが必要である。
【００１０】
ところが調整パネル２０２Ｈの左右方向長を丁度（Ｌ／２）＋βとしておいたとき、図５（Ｂ）に示すように開口２０６の左側に調整パネル２０２Ｈを配置する際には特に問題を生じないが、開口２０６の右側にこの調整パネル２０２Ｈを配置したとき、以下のような不都合が生じる。
【００１１】
タイルパネル２０２を四方决り構造として、上下左右に隣接するタイルパネル同士を相决り嵌合させるようにしたとき、開口２０６の右側に配置される調整パネル２０２Ｈにあっては、右端に位置するタイル２００−Ｒ１が本来あるべき長さ（左右方向長）よりもβだけ長くなったり、或いはβの長さの半端なタイル片２００−Ｒ２が残ってしまい（四方决り構造のタイルパネルの場合、パネル同士の相决り嵌合の確保のために、調整パネル２０２Ｈの左端側（開口２０６側）の端部を切除することとなるから）、この結果調整パネル２０２Ｈと上下，左右方向に隣接する正規サイズの正規パネル２０２Ｎとでタイル配列の規則性が乱れ、タイル意匠が不連続なものとなってしまう不都合を生じるのである。
【００１２】
【課題を解決するための手段】
本願の発明はこのような課題を解決するためになされたものである。
而して本発明のタイルパネルの張付工法は、板体表面に複数の左右方向長さが５０ｍｍ以上のタイルを上下方向に複数段に且つ上下に隣接する各段でタイルの左右方向位置が左右にずれた位置となるように配置して成り、パネル左右端で少なくとも複数段のタイルが半端サイズとなる形態の四方决り構造のタイルパネルを、左右方向に等ピッチＰで配設した柱等縦方向に延在する下地材表面に固定してタイルパネルの張付施工を行うタイルパネルの張付工法であって、該タイルパネルとして、パネルの左右方向長Ｌが該ピッチＰの整数倍の大きさで且つ前記タイルの左右方向長が該ピッチＰの整数分の１の大きさの正規サイズの正規パネルと、パネルの左右方向長が該正規パネルの左右方向長Ｌよりも小で該Ｌの半分よりもαだけ長く且つ該αの大きさがタイル１枚分の大きさとされた、該正規パネルの略半分長の調整パネルとを用意し、該正規パネルの張付可能な箇所においては該正規パネルの左右方向端位置を前記下地材位置に合わせて該左右各端を該下地材に固定する一方、開口の存在によって該正規パネルの張付不能な箇所においては該正規パネル又は該調整パネルを該開口の形状に合わせて一部切断した上で、左右方向端位置を前記下地材位置に合せて各左右各端を該下地材に固定し、タイル面を構築していくことを特徴とする。
【００１３】
【作用及び発明の効果】
上記のように本発明は、調整パネルにおける左右方向長を正規パネルの左右方向長Ｌに対して（Ｌ／２）＋αと成し且つそのαの大きさをタイル１枚分の大きさと成し、開口の形状に合わせてその一部を切断した調整パネルを用いてタイル張施工を行うようになしたもので、本発明によれば、調整パネルを開口の左側に配置する場合はもとより、開口の右側に配置する場合においても、調整パネルとその上下及び左右のパネルとの間でタイル配列の規則性に乱れを生ぜしめず、タイル壁面の意匠性をそれらパネルの間で連続したものとすることができ、美観の良好なタイル壁面を構築することができる。
【００１４】
尚本発明においては、前記開口の左側に位置する部分においては調整パネルの右端側を切断し、開口の右側においては調整パネルの左端側を切断して調整パネルを下地材に固定することとなる。
【００１５】
【実施例】
次に本発明の実施例を図面に基づいて詳しく説明する。
図１において、１０は左右方向に等しいピッチＰで配設された下地材としての柱で、それら柱１０の表面に多数のタイルパネルが張付固定され、それらタイルパネルによってタイル壁面が構築されている。
尚、柱１０へのタイルパネルの固定は釘打ちにより或いは柱１０に取付固定された固定金具により行われている。
また図中２２は躯体側の壁に窓や出入口等を設けるためにタイル壁面に形成された開口である。
【００１６】
図２（Ａ）はそのタイルパネルにおける正規サイズの正規パネル１２Ｎを示したもので、この正規パネル１２Ｎは、板体１４の表面に多数の左右方向長さが５０ｍｍ以上の陶磁器タイル１６を貼着して構成してある。
ここで正規パネル１２Ｎは、タイル１６を板体１４の表面に馬張りした形態のものである。詳しくは、タイル１６を上下複数段に板体１４表面に配置するとともに、上下に隣接する各段でタイル１６を左右方向に互い違いとなるように配置し、それらを板体１４表面に貼着したものである。
【００１７】
本例では、パネル左右端の一部タイルを除いて、各タイル１６が何れも同じ大きさ，形状のものが用いられている。そして何れかの段のタイル１６の左右端が、隣接する上段及び下段のタイル１６の丁度左右方向の中央位置に位置するように、各タイル１６が配列されている。
【００１８】
尚この例において、最上段且つ左右端に位置するタイル１６Ｌ，１６Ｒが、何れも正規サイズのタイル１６Ｎの丁度半分の長さ（左右方向長さ）とされており、それらの間に位置する各タイル１６が正規サイズのタイル１６Ｎとされている。
【００１９】
また最上段の直ぐ下の次段のタイル１６については、全てが正規サイズのタイル１６Ｎとされている。更にその下の段のタイル配列は最上段のタイル配列と同じとされており、以下同様に一段毎にタイル配列が同様の配列とされている。
【００２０】
正規パネル１２Ｎは、四方决り構造とされており、板体１４の上縁に沿って全長に亘り嵌合突部１８が形成され、また右端縁に沿って全高に亘り嵌合突部１８が形成されている。また下縁に沿って全長に亘り対応する嵌合凹部２０が形成され、更に左端縁に沿って同様の嵌合凹部２０が形成されている。
【００２１】
尚この例では、柱１０間のピッチＰは４５５ｍｍとされており、また正規パネル１２Ｎの左右方向長Ｌ1はピッチＰの４倍の長さ、即ち１８２０ｍｍとされている。また正規サイズのタイル１６Ｎの左右方向長は、ピッチＰの１／２の長さ（約２２７．５ｍｍ）とされている。
従ってこの例において、正規パネル１２Ｎには左右方向に８枚ないし８枚相当分のタイル１６が配置され、板体１４上に貼着されている。
またこの例では、正規パネル１２Ｎにおいてタイル１６の上下方向の段数は６段とされている。
【００２２】
続いて図２（Ｂ）はタイルパネルにおける調整パネル１２Ｈを示したもので、この調整パネル１２Ｈの基本的な形態は、正規パネル１２Ｎと同様の形態とされている。
即ち調整パネル１２Ｈにおいてもまた、正規パネル１２Ｎと同様にタイル１６が板体１４の表面に馬張りされているとともに、四方决り構造とされている。
【００２３】
一方この調整パネル１２Ｈは、その左右方向長Ｌ２が正規パネル１２Ｎの長さＬ１に対して小さい、（Ｌ1／２）＋αの長さとされている。そしてそのαは５０ｍｍよりも大きい長さ、詳しくは正規サイズのタイル１６Ｎの１枚分の長さ（約２２７．５ｍｍ）とされている。
従って、調整パネル１２Ｈにおけるパネル右端のタイル配列は正規パネル１２Ｎにおけるパネル右端のタイル配列と同じとなり、また調整パネル１２Ｈにおけるパネル左端のタイル配列は、正規パネル１２Ｎにおけるパネル左端のタイル配列と全く同様となっている。
【００２４】
尚、図２（Ｂ）に示すように本例の調整パネル１２Ｈは、左右方向に５枚ないし５枚相当分のタイル１６が、また上下方向に６段のタイル１６が配置されている。
【００２５】
図１及び図３に示すタイル壁面には、タイルパネル列ｂ列とｃ列とにまたがって、その幅が正規パネル１２Ｎの左右方向長とほぼ同じの開口２２が設けられている。
この開口２２の上端縁はタイル壁面の最も上側のタイルパネルの上下方向ほぼ中間位置に位置している。
【００２６】
次に図１及び図３に示すタイル壁面の例を基に、本例の工法によるタイル壁面の構築手順について以下に説明する。
先ず図１中左端のａ列については、正規パネル１２Ｎを切断することなくそのままこれを用いることができる。また同様に同図中右端のｄ列についても、正規パネル１２Ｎを切断することなくそのまま使用することができる。
【００２７】
次にｂ列は、その列の図中右端から左右方向中央に位置する柱１０まで開口２２が形成されていることから、その開口２２の左側にタイルパネルの張付けを行うこととなる。そしてこのｂ列においては、正規パネル１２Ｎより左右方向長が短い調整パネル１２Ｈを用いる。
これは、ｂ列においては必要とするタイルパネルの左右方向長が正規パネル１２Ｎのおよそ半分であり、図７にも示すように正規パネル１２Ｎを使用する場合、切断ロスが大きくなってしまうためである。
【００２８】
このｂ列においては、調整パネル１２Ｈの右端部を一部切断することによって、その左右方向長を正規パネル１２Ｎの左右方向長Ｌ1に対し（Ｌ1／２）＋β（本例ではβは柱１０の幅１００ｍｍの半分の５０ｍｍ）とし、その左右端を柱１０に釘打ち或いは柱１０に取付固定した固定金具により柱１０に固定して開口２２の左側のタイル壁面を構築する。
このとき調整パネル１２Ｈは左端縁をａ列の正規パネル１２Ｎに対して合决り嵌合させ、また上下方向において調整パネル１２Ｈ同士を上下方向に合决り嵌合させた状態とする。
【００２９】
尚最上段のタイルパネルについては正規パネル１２Ｎを用い、その一部を開口２２の形状に合わせて切断した上で使用する。
続くｃ列の最上段のタイルパネルについても正規パネル１２Ｎを用い、その一部を開口２２の形状に合わせて切断した上で使用する。
【００３０】
次にｃ列については、ｂ列と同様にタイルパネルとして調整パネル１２Ｈを用いてこれを柱１０に固定しタイル壁面を構築する。
このとき各調整パネル１２Ｈはその左端部を一部切断することによって必要な左右長さに調整する。具体的には、左右方向長が（Ｌ1／２）＋βとなるように各調整パネル１２Ｈの左端部を切断する。そしてその各左右端を開口２２の右側において柱１０に止付固定しタイル壁面を構築する。
【００３１】
このｃ列においては、各調整パネル１２Ｈの右端縁をｄ列の正規パネル１２Ｎに対し左右方向に合决り嵌合させるとともに、上下方向において各調整パネル１２Ｈを合决り嵌合させる。
尚下から３段目の調整パネル１２Ｈについては、その上縁を最上段の正規パネル１２Ｎの下縁に対して合决り嵌合させる。
【００３２】
本例の張付工法において、開口２２の右側に位置するｃ列の各調整パネル１２Ｈとｃ列最上段の正規パネル１２Ｎ及びそれらの更に右側のｄ列の正規パネル１２Ｎとの合せ部において、各パネルのタイル配列は図３（III）に示しているように乱れのない規則性を持ったものとなり、それらパネル間でタイル壁面の意匠性が連続したものとなる。
【００３３】
本例の張付工法において、調整パネル１２Ｈはパネル右端のタイル配列が正規パネル１２Ｎのそれと同じタイル配列とされており、且つパネル張付けに際して開口２２の右側においては、その左端部を切断して用いているからである。
【００３４】
このように本例の張付工法によれば、調整パネル１２Ｈを開口２２の左側に配置する場合はもとより、開口２２の右側に配置する場合においても、調整パネル１２Ｈとその上下及び左右の正規パネル１２Ｎとの間でタイル配列の規則性に乱れを生ぜしめず、タイル壁面の意匠性をそれらタイルパネル間で連続性を持たせることができ、美観の良好なタイル壁面を構築することができる。
【００３５】
また本例によれば、調整パネル１２Ｈを用いることで、タイルパネルの切断ロスを効果的に少なくすることができ、タイルパネルに要するコストを低減することが可能である。
【００３６】
以上本発明の実施例を詳述したがこれはあくまで一例示である。
例えば上例ではタイルパネルの左右端のタイル１６Ｌ，タイル１６Ｒともに正規タイル１６Ｎの丁度半分の左右方向長としているが、右端及び左端の何れか一方のタイルの左右方向長を２／３とし、他方を１／３とすること、或いは左右端のタイル１６Ｌ，１６Ｒを合わせた長さがタイル１６Ｎの１枚分となるようにタイルサイズをそれ以外のサイズとすることが可能である。また本発明は上記馬張り以外のタイル配列であっても、上下に隣接する各段でタイルの左右方向位置を左右にずらしてタイルを配置してタイルパネルを構成し、それらタイルパネルを用いてタイル面を施工するに際して一般的に適用可能である。
例えばイギリス張り，フランス張り等その他パターンでタイル配列してなるタイルパネルを用いてタイル面を構築するに際しても適用可能である。その他本発明はその主旨を逸脱しない範囲において種々変更を加えた形態で構成可能である。
【図面の簡単な説明】
【図１】  本発明の一実施例であるタイルパネルの張付工法を、開口を有するタイル壁面に適用した図である。
【図２】  図１のタイルパネルにおける正規パネルと調整パネルとをそれぞれ単品で示す図である。
【図３】  図１の張付工法を具体的に説明するための説明図である。
【図４】  タイルを通し張りし、又は馬張りして成るタイルパネルを示す図である。
【図５】  図４の馬張りしたタイルパネルを用いた場合の不具合の説明図である。
【図６】  図５における開口部と周辺部の断面を拡大して示す図である。
【図７】  図５における開口のパターンとタイルパネルの切断パターンとを併せて示す図である。
【符号の説明】
１０  柱
１２Ｎ  正規パネル
１２Ｈ  調整パネル
１４  板体
１６，１６Ｎ，１６Ｒ，１６Ｌ  タイル
２２  開口
【図１】
0003832967.tif 000002
【図２】
0003832967.tif 000003
【図３】
0003832967.tif 000004
【図４】
0003832967.tif 000005
【図５】
0003832967.tif 000006
【図６】
0003832967.tif 000007
【図７】
0003832967.tif 000008